(57)【要約】【課題】ユニット構造の押さえ体を有する押さえ装置を、前部ステップ側に突出させることなく簡単に取付けることができる移植機の予備苗載台装置を提供する。【解決手段】走行機体２の前部ステップ４ｄの外側に立設される予備苗載台フレーム１１に設けた予備苗載台７ａに設置される押さえ装置１６を、予備苗載台フレーム１１の左右幅に取付けて設けたブラケット２０に、押さえ体１５の取付支点軸１５ｃを介して姿勢変更回動自在に取付けると共に、該押さえ体１５を前記作業姿勢と解除姿勢とに姿勢変更をさせる姿勢変更機構１７を組付けたユニット構造となし、押さえ装置１６をブラケット２０のブラケット取付部２４によって予備苗載台フレーム１１の左右幅に取付可能に構成した。【選択図】図５
2015146763.tif 000002
【特許請求の範囲】
【請求項１】
走行機体(２)の前部ステップ(４ｄ)の外側に立設される予備苗載台フレーム(１１)に設けた予備苗載台(７ａ)に、予備苗(Ｍ)を苗箱(Ｈ)又は苗すくい板(Ｓ)を用いて載置した予備苗載台装置(７)に対し、空になった苗箱(Ｈ)又は苗すくい板(Ｓ)を載置させる予備苗載台(７ａ)に、姿勢変更機構(１７)を介して空の苗箱(Ｈ)又は苗すくい板(Ｓ)を該予備苗載台(７ａ)側に向けて押し付けて保持する作業姿勢と、その押し付け保持を解除する解除姿勢とに姿勢変更させる押さえ体(１５)を備える押さえ装置(１６)を設置した移植機(１)の予備苗載台装置(７)において、
前記押さえ装置(１６)を、予備苗載台フレーム(１１)の左右幅に取付けて設けたブラケット(２０)に、押さえ体(１５)の取付支点軸(１５ｃ)を介して姿勢変更回動自在に取付けると共に、該押さえ体(１５)を前記作業姿勢と解除姿勢とに姿勢変更をさせる姿勢変更機構(１７)を組付けたユニット構造となし、押さえ装置(１６)をブラケット(２０)のブラケット取付部(２４)によって予備苗載台フレーム(１１)の左右幅に取付可能に構成した移植機の予備苗載台装置。
【請求項２】
前記ブラケット(２０)を前後の立壁部(２０ａ)と側壁部(２０ｂ)とによって平面視Ｕ字状に形成し、ブラケット(２０)内に少なくとも押さえ体(１５)を姿勢変更自在に付勢保持させるスプリング(２１)と、該スプリング(２１)の一端を係止するスプリング取付ピン(２３)と、スプリング(２１)の他端を係止する押さえ体(１５)の基部側に形成されるスプリング掛け部(１５ａ)からなる姿勢変更機構１７を収容しユニット構造の押さえ装置(１６)を構成する請求項１記載の移植機の予備苗載台装置。
【請求項３】
ブラケット(２０)の立壁部(２０ａ)に押さえ体(１５)の取付支点軸(１５ｃ)を中心とする円弧状長孔のガイド孔(２５)を形成し、該ガイド孔(２５)に押さえ体(１５)のスプリング掛け部(１５ａ)を挿入して姿勢変更を案内規制する請求項１又は２記載の移植機の予備苗載台装置。
【発明の詳細な説明】
【技術分野】
【０００１】
本発明は、移植機の予備苗載台装置に関する。
【背景技術】
【０００２】
従来、走行機体の前部ステップの外側に立設される予備苗載台フレームに設置される複数段の予備苗載台に、予備苗を直接的に又は苗すくい板を用いて収容した苗箱を各載置すると共に、この苗箱を取り出して機体後方の植付装置の苗載台に予備苗を補給したのち、特定の予備苗載台に空になった苗箱及び苗すくい板を積み重ねて載置した状態で、姿勢変更機構を備える押さえ装置の押さえ体によって、空の苗箱等を予備苗載台側に向けて押し付けて固定保持して植付作業や路上走行を行なう移植機の予備苗載台装置が既に公知である。（例えば特許文献１）
上記予備苗載台装置の押さえ装置は、押さえ体を予備苗載台支柱に前部ステップ側に向けて突設したブラケット(押さえ体支持部)に軸支し、且つ該予備苗載台支柱にスプリング等を露出させた状態で取付けて姿勢変更機構を構成することにより、押さえ体を前記作業姿勢と押さえ体を解除する解除姿勢とに姿勢変更自在にしている。
【先行技術文献】
【特許文献】
【０００３】
【特許文献１】特許第４９７７０８２号公報
【発明の概要】
【発明が解決しようとする課題】
【０００４】
上述した特許文献１に示される移植機は、植付作業や路上走行をするときに生ずる激しい機体振動や揺れに対し、押さえ体によって空の苗箱等の跳ね上げや落下等を防止することができる。然しながら、押さえ装置を予備苗載台支柱から直接的に突設したブラケットに押さえ体及びスプリング等を設けて構成してたものであるため、前部ステップ側に露出状態で大きく突出するブラケットや姿勢変更機構の部品が、前部ステップを利用して乗降や各種のメンテナンス作業を行なうオペレータに接触し易く、押さえ体や機構部品に衣服などを引っ掛けることがありスムーズな移動を妨げる等の欠点がある。
また操縦部側から予備苗を収容した苗箱の取出しや、空の苗箱を載置したり押さえ体を姿勢変更操作をする際に、前部ステップ側に突出するブラケットや押さえ体が邪魔になるため作業能率を損なう等の問題もある。さらに、市場に出回っている押さえ装置を備えない既存の予備苗載台装置に対して、押さえ装置を後付け作業によって取付ける場合に、その予備苗載台フレームに直接的に設けることが困難な構造であるため、予備苗載台支柱等に煩雑な改造を必要にする等の課題がある。
【課題を解決するための手段】
【０００５】
上記課題を解決するための本発明による移植機の予備苗載台装置は、第１に、走行機体２の前部ステップ４ｄの外側に立設される予備苗載台フレーム１１に設けた予備苗載台７ａに、予備苗Ｍを苗箱Ｈ又は苗すくい板Ｓを用いて載置した予備苗載台装置７に対し、空になった苗箱Ｈ又は苗すくい板Ｓを載置させる予備苗載台７ａに、姿勢変更機構１７を介して空の苗箱Ｈ又は苗すくい板Ｓを該予備苗載台７ａ側に向けて押し付けて保持する作業姿勢と、その押し付け保持を解除する解除姿勢とに姿勢変更させる押さえ体１５を備える押さえ装置１６を設置した移植機１の予備苗載台装置７において、
前記押さえ装置１６を、予備苗載台フレーム１１の左右幅に取付けて設けたブラケット２０に、押さえ体１５の取付支点軸１５ｃを介して姿勢変更回動自在に取付けると共に、該押さえ体１５を前記作業姿勢と解除姿勢とに姿勢変更をさせる姿勢変更機構１７を組付けたユニット構造となし、押さえ装置１６をブラケット２０のブラケット取付部２４によって予備苗載台フレーム１１の左右幅に取付可能に構成したことを特徴としている。
【０００６】
第２に、前記ブラケット２０を前後の立壁部２０ａと側壁部２０ｂとによって平面視Ｕ字状に形成し、ブラケット２０内に少なくとも押さえ体１５を姿勢変更自在に付勢保持させるスプリング２１と、該スプリング２１の一端を係止するスプリング取付ピン２３と、スプリング２１の他端を係止する押さえ体１５の基部側に形成されるスプリング掛け部１５ａからなる姿勢変更機構１７を収容しユニット構造の押さえ装置１６を構成することを特徴としている。
【０００７】
第３に、ブラケット２０の立壁部２０ａに押さえ体１５の取付支点軸１５ｃを中心とする円弧状長孔のガイド孔２５を形成し、該ガイド孔２５に押さえ体１５のスプリング掛け部１５ａを挿入して姿勢変更を案内規制することを特徴としている。
【発明の効果】
【０００８】
請求項１の発明によれば、押さえ装置を、予備苗載台フレームの左右幅に取付けて設けたブラケットに、押さえ体の取付支点軸を介して姿勢変更回動自在に取付けると共に、該押さえ体を前記作業姿勢と解除姿勢とに姿勢変更をさせる姿勢変更機構を組付けたユニット構造となし、押さえ装置をブラケットのブラケット取付部によって予備苗載台フレームの左右幅に取付可能に構成したことにより、押さえ体を取付けたブラケット内に姿勢変更機構を設けてユニット化した押さえ装置は、該姿勢変更機構の部品を前部ステップ側に突出させないので、オペレータが前部ステップを移動する際に、押さえ体やその機構部品に衣服などを引っ掛ける等の惧れのないスムーズな移動をすることができると共に、前部ステップ上に形成されるスペースを利用して行う苗箱の取出し載置や空の苗箱の積み重ね載置等の作業を能率よく行うことができる。また押さえ装置は、予め押さえ装置を部品組みしたユニット構造の汎用性の高い兼用部品にすることができるので、市場に出回っている押さえ装置を備えない既存の予備苗載台装置に対しても、その予備苗載台フレームに煩雑な改造を要することなく、ブラケットをフレーム左右幅から大きく突出させないで簡単な後付け作業によって設置することができる等の特徴がある。
【０００９】
請求項２の発明によれば、ブラケットを前後の立壁部と側壁部とによって平面視Ｕ字状に形成し、ブラケット内に少なくとも押さえ体を姿勢変更自在に付勢保持させるスプリングと、該スプリングの一端を係止するスプリング取付ピンと、スプリングの他端を係止する押さえ体の基部側に形成されるスプリング掛け部からなる姿勢変更機構を収容しユニット構造の押さえ装置を構成することにより、ユニット構造の押さえ装置は、予備苗載台フレームに予め予備苗載台を複数段に設置した予備苗載台フレームの所望位置にブラケットから姿勢変更機構を覆った状態で簡単に取付けることができると共に、既存の予備苗載台装置に対しても、煩雑な改造を要することなく後付け作業によってブラケット及び姿勢変更機構をフレーム左右幅から大きく突出させることなく簡単に設けることができる。
【００１０】
請求項３の発明によれば、ブラケットの立壁部に押さえ体の取付支点軸を中心とする円弧状長孔のガイド孔を形成し、該ガイド孔に押さえ体のスプリング掛け部を挿入して姿勢変更を案内規制することにより、スプリング掛け部をガイド孔内でスムーズに回動させるため、押さえ体の作業姿勢と解除姿勢との姿勢変更をスムーズに案内することができると共に、解除姿勢における押さえ体の前部ステップ側への傾倒を規制することができる。
【図面の簡単な説明】
【００１１】
【図１】移植機の全体構造を示す右側面図である。
【図２】図１の平面図である。
【図３】右側の予備苗載台装置の要部の構成を示し、図(ａ)は予備苗載台と押さえ装置の構成を示す右斜視図である。図(ｂ)は予備苗載台と押さえ装置の構成を示す左斜視図である。
【図４】右側の予備苗載台装置の要部の構成を示し、図(ａ)は予備苗載台と押さえ装置の構成を示す正面図である。図(ｂ)は予備苗載台と押さえ装置の構成を示す背面図である。
【図５】右側の予備苗載台装置の要部の構成を示し、図(ａ)は予備苗載台と押さえ装置の構成を示す右側面図である。図(ｂ)は押さえ装置の構成を示す平面図である。
【図６】別実施形態の予備苗載台装置を備えた移植機の予備苗載台装置を示し、図(ａ)は左側面図である。図(ｂ)は平面図である。
【図７】右側の予備苗載台装置の要部の構成を示す正面斜視図である。
【図８】図６の左側の予備苗載台装置に押さえ装置を設けた要部構造を示し、図(ａ)は予備苗載台と押さえ装置の構成を示す左側面図である。図(ｂ)は予備苗載台と押さえ装置の構成を示す右側面図である。
【図９】別実施形態の押さえ装置の構成を示す平面図である。
【発明を実施するための形態】
【００１２】
本発明の一実施形態を図面に基づいて説明する。図１，図２において符号１で示す移植機（乗用田植機）は、前輪１ａと後輪１ｂを左右に有する走行機体２の前側にエンジンを搭載してボンネット３で覆い、後方にハンドル４ａ及び座席４ｂ並びに操縦ステップ４ｃ等からなる操縦部４を配置し、機体後部に構成される３点リンク方式の昇降機構５に植付装置６を装着している。上記操縦部４は、操縦ステップ４ｃからボンネット３の左右下部に沿って機体前部に通ずる左右の前部ステップ４ｄを備えている。
【００１３】
そして、移植機１は、苗箱Ｈや苗すくい板Ｓ等を用い予備苗（マット苗）Ｍを、畔側から予備苗載台７ａに図５(ａ)に示すように一時的に載置して植付装置６に補給するための予備苗載台装置７を、前記前部ステップ４ｄの外側寄りに３段の予備苗載台７ａを設けて左右対称構造として立設している。また上記ボンネット３は、その後部上方に各種の操作レバーやスイッチ他計器類を備える操作パネル３ａを設けている。
【００１４】
以下各部の構成について詳述する。図示する植付装置６は、５条分の予備苗Ｍを左右並列状に載置する苗載台８を前高後低状に前傾斜させて設け、該苗載台８の下方に配設される５条分の植付爪６ａによって、各予備苗Ｍから１株毎の苗を掻取って圃場に植付けることができる。また予備苗載台装置７の各予備苗載台７ａに対する予備苗Ｍの載置供給作業は、走行機体２の前部を畔に向けて接近させた状態で行うか、又は走行機体２を畔に横付けすることによって行う。
【００１５】
次に、図１〜図５を参照し本発明に係る予備苗載台装置７の第１実施形態について説明する。尚、左右の予備苗載台装置７は対称構造であり、右側に立設される予備苗載台装置７について説明する。この移植機１の予備苗載台装置７は、基部を走行機体２の前部で前部ステップ４ｄの外側寄りに取付固定され、側面視でボンネット３の中途部高さ位置に立設される装置ベースフレーム１０に対し立設している。
【００１６】
上記装置ベースフレーム１０は、基部を走行機体２側に固設される前後のベース支柱１０ｂと、該前後のベース支柱１０ｂの上部を連結する上部フレーム１０ａとによって方形状の剛体枠構造としている。これにより、予備苗載台装置７及び装置ベースフレーム１０とボンネット３の間には、前部ステップ４ｄの上方にオペレータが歩行移動並びにメンテナンス等各種の作業を自由に行なうスペースを形成している。
【００１７】
また予備苗載台装置７は、予備苗載台フレーム１１を前後の予備苗載台支柱１１ａと、該前後の予備苗載台支柱１１ａの上部を連結する上部連結部材１１ｂとにより下向きＵ字状のループ形状として、上記前後の予備苗載台支柱１１ａの下部を上部連結部材１１ｂに着脱自在に取付けて立設するようにしている。尚、上記上部連結部材１１ｂは、下向きコ字状断面のアングル部材とし、その断面内に前後の予備苗載台支柱１１ａの上端を挿入して覆った状態で連結している。
【００１８】
上記構成において前後の予備苗載台支柱１１ａには、予め３段分の予備苗載台７ａを取付ける台支持杆１２を、それぞれ予備苗載せ間隔を有し機体外方側に向けて上向きの緩傾斜をなすように突設している。これにより３段分の各対をなす前後の台支持杆１２には、３つの予備苗載台７ａがそれぞれ載置され、且つ載置して位置決めされた各予備苗載台７ａを前後の台支持杆１２にボルト等の取付手段１２ａによって取付固定することにより、前後の予備苗載台支柱１１ａは高さ方向の中途部が連結され前後方向の取付け剛性を高めている。(図５参照)
【００１９】
予備苗載台７ａは図３に示すように、上記前後の台支持杆１２に取付固定されて苗箱Ｈを載置する大きさと形状の底板１３に、その内側と外周の所定箇所に立壁１３ａを立設している。これにより予備苗載台７ａは、苗箱Ｈを前記上向き緩傾斜をなす底板１３に載置したとき、該苗箱Ｈを各立壁１３ａが前後及び左右方向の移動を規制して収納載置する。
【００２０】
また予備苗載台フレーム１１の中途部内側には、苗補給済みの苗すくい板Ｓを収納保持させる板収納具１４が設置されている。この板収納具１４は、前後の予備苗載台支柱１１ａに、その間のスペースを利用して略ボンネット３の高さ位置に取付けられており、数枚の苗すくい板Ｓを縦向きに挿入して収容することができる。
【００２１】
そして、上記構成からなる左右の予備苗載台装置７は、空になった苗箱Ｈ及び苗すくい板Ｓ等が最上段の予備苗載台７ａに載置されたとき、これらを押接支持自在に固定保持する押さえ体１５を有する押さえ装置１６を、前記予備苗載台フレーム１１の上部連結部材１１ｂの上端部に前方寄りに位置させて設置している。これにより押さえ装置１６は、図４に実線で示す押さえ体１５の作業姿勢では、積み重ね状態で載置される空の苗箱Ｈ等を予備苗載台７ａ側に弾性力を有し押し付けて固定保持すると共に、押さえ体１５を作業姿勢から姿勢変更操作し２点鎖線で示す解除姿勢にすることにより、載置される空の苗箱Ｈ等を取出し自在にすると共に、予備苗Ｍを収容した苗箱Ｈの載置供給を支障なく行うことができる。
【００２２】
次に、図４，図５を参照し押さえ装置１６の構成及び作用等について説明する。この押さえ装置１６は、平面視Ｕ字状のブラケット２０に、前記押さえ体１５と、該押さえ体１５を作業姿勢と解除姿勢とに切換自在に付勢保持するスプリング２１と、該スプリング２１の一端を支持させる取付ピン２３と、後述の取付軸１５ｃを固定するナット２６からなる姿勢変更機構１７を一体的に組付けたユニット構造にしている。上記ブラケット２０は、前後の立壁部２０ａと該前後の立壁部２０ａを上記姿勢変更機構１７の各部材の支持間隔を有して一体的に接続する側壁部２０ｂによって平面視Ｕ字形状にしており、その立壁部２０ａの下部に下向きコ字状に形成したブラケット取付部２４を設け、該ブラケット取付部２４を介してユニット構造の押さえ装置１６を、前記上部連結部材１１ｂに上方から嵌合させて簡単に取付けることができるようにしている。
【００２３】
即ち、ブラケット２０は図４に示すように、側壁部２０ｂを機体内側(前部ステップ４ｄ側)に向けた状態とし、ブラケット取付部２４を上部連結部材１１ｂに上方から嵌合させ、両者にボルト２２を挿入して締着することにより、押さえ装置１６を予備苗載台フレーム１１に着脱自在に取付固定することができる。これにより押さえ装置１６は、正面及び背面視でブラケット２０を介して形成される本体部を、予備苗載台支柱１１ａの横幅上方延長方向に立設させて、側壁部２０ｂ側を前部ステップ４ｄ側へ大きく突出させることなく、且つ押さえ体１５を予備苗載台７ａの適正位置に姿勢変更自在に臨ませることができる。尚、符号２４ａは押さえ装置１６を図７，図８で後述する予備苗載台装置７の予備苗載台支柱１１ａに取付ける取付孔からなるブラケット取付部である。
【００２４】
またブラケット２０は前後の立壁部２０ａに、基部側を狭幅とし上部側を広幅にした該広幅箇所で、予備苗載台７ａ側に向け十分なスプリング支持間隔を設けて取付ピン２３を前後方向に挿入して取付けている。また後側の立壁部２０ａには、後述する押さえ体１５の取付軸１５ｃを挿入する取付孔２５ａを穿設し、且つ前後の立壁部２０ａには、プリング掛け部１５ａを挿入して上下方向の回動移動を案内規制する円弧状長孔のガイド孔２５を穿設している。尚、上記取付孔２５ａは、取付ピン２３とガイド孔２５の上端を結ぶ線の中間下方位置に穿設している。
【００２５】
押さえ体１５は図５(Ｂ)に示すように、基部側をブラケット２０内に向けて屈曲させたスプリング掛け部１５ａと、先端部側を予備苗載台７ａの中途部に至る長さでスプリング掛け部１５ａと同方向で前後方向のループ状に屈曲された押接部１５ｂと、プリング掛け部１５ａの近傍位置でネジ部を有する取付軸１５ｃを設けた構造にしている。これにより押さえ体１５はブラケット２０に対し、前後の立壁部２０ａのガイド孔２５にスプリング掛け部１５ａを挿入した状態で、取付軸１５ｃを取付孔２５ａに挿入したのち、そのネジ部にナット２６を掛けて締着することにより、該取付軸１５ｃを支点に押接部１５ｂを作業姿勢と解除姿勢とに回動自在に取付ける。
【００２６】
スプリング２１は、その両端をプリング掛け部１５ａと取付ピン２３とに掛けて組付ける。これにより押さえ体１５は図４に示すように、作業姿勢に下方回動操作されてスプリング掛け部１５ａがガイド孔２５の上端部に接当規制された実線位置で、スプリング２１が取付軸１５ｃの上方でスプリング掛け部１５ａを引張り、押さえ体１５を作業姿勢に姿勢保持する。そして、この作業姿勢にある押さえ体１５は、上記スプリング２１が取付軸１５ｃを下方に向けて越える(支点越え)をするまで保持され、予備苗載台７ａに積み重ね状態で載置された所定数の苗箱Ｈ等を押えながら固定保持する。
【００２７】
次いで、押さえ体１５を上記作業姿勢からスプリング２１の付勢力に抗して解除姿勢に上方回動操作すると、スプリング掛け部１５ａがガイド孔２５の下端部に接当規制された位置において、スプリング２１が取付軸１５ｃを支点越えした下方位置でスプリング掛け部１５ａを引張り、押さえ体１５を２点鎖線で示す解除姿勢に保持する。このとき押さえ体１５は、格納姿勢における押接部１５ｂの位置を、ブラケット２０より予備苗載台７ａ側に位置させながら底板１３から十分に離間させるため、予備苗Ｍを収容した苗箱Ｈの載置供給及び取出し等の作業を行い易くする。
【００２８】
尚、押さえ体１５は、ガイド孔２５の下端部に接当スプリング掛け部１５ａをガイド孔２５の下端部に接当させることなく、そのアーム部を取付ピン２３に接当させてもよく、この場合には、押さえ体１５の解除姿勢の高さをやや低くした状態で姿勢保持をすることができる。また上記ブラケット２０は、図９に示すように前側の立壁部２０ａを省略した平面視Ｌ字状に形成してもよいものである。この場合にはブラケット２０の軽量化を図ることができる。
【００２９】
次に、以上のように構成される移植機１による植付作業及び苗の補給作業等について説明する。先ずオペレータは、苗載台８に５条分の予備苗Ｍを充填載置しておくと共に、押さえ装置１６の押さえ体１５を解除姿勢にした状態において、各予備苗載台７ａに予備苗Ｍを収容した苗箱Ｈを載置した状態で植付作業を開始する。これにより移植機１は、苗載台８の横往復動作と共に植付爪６ｂの植付動作によって１株毎の苗の掻取りを行い圃場に植付ける。次いで、この植付作業に伴い苗載台８に載置された予備苗が少なくなるとき、最上段の予備苗載台７ａから順次載せてある苗箱Ｈを後方側に向けて取出し、収容されている予備苗Ｍを苗載台８に補給することによって連続した植付作業を行う。
【００３０】
このとき、オペレータは予備苗Ｍを補給して空になった苗箱Ｈや苗すくい板Ｓを従来のものと同様な作業態様によって、左右の予備苗載台装置７の所定予備苗載台７ａに順次積み重ねて所定数(実施例では３枚)になった時点で、押さえ装置１６の押さえ体１５を解除姿勢から作業姿勢に切換える。これにより積み重ねられた各苗箱Ｈ等は押さえ体１５の押接部１５ｂによって上段の苗箱Ｈが押圧されることによって予備苗載台７ａに固定保持される。
【００３１】
次いで、オペレータは植付作業の状況を見計らい移植機１を畔際に移動したのち、押さえ体１５を解除姿勢にして空の苗箱Ｈを降ろすと共に、新たな予備苗Ｍを収容した苗箱Ｈの載置供給を行い植付作業を再開する。尚、図５に示すように、予備苗Ｍを予め苗すくい板Ｓによってすくって乗せた状態で収容する苗箱Ｈを、予備苗載台７ａに載置して苗補給をする植付作業においては、空になった苗箱Ｈと共に苗すくい板Ｓも最上段の予備苗載台７ａに積み重ねて押さえ体１５で押圧し固定保持する。また上記苗すくい板Ｓを板収納具１４内に収納する場合には、空の苗箱Ｈのみを前記したように予備苗載台７ａに固定保持する。
【００３２】
そして、上記のように植付作業を行なう移植機１は、予備苗載台装置７に設ける押さえ装置１６を、予備苗載台フレーム１１の左右幅に取付け自在なブラケット取付部２４を設けたブラケット２０にしていると共に、該ブラケット２０に押さえ体１５を取付支点軸１５ｃによって姿勢変更回動自在に取付け、該押さえ体１５を作業姿勢と解除姿勢とに姿勢変更をさせる姿勢変更機構１７を組付けたユニット構造にしているので、押さえ装置１６をブラケット２０を介して予備苗載台フレーム１１の左右幅に対し側方に大きく突出させることなく簡単且つ容易に取付けることができる。
【００３３】
即ち、ブラケット２０に押さえ体１５の姿勢変更機構１７を設けてユニット化された押さえ装置１６は、該姿勢変更機構１７の部品を前部ステップ４ｄ側に突出させないので、オペレータが前部ステップ４ｄを移動する際に、押さえ体１５やその機構部品に身体を接触させたり衣服などを引っ掛ける等の惧れのないスムーズな移動をすることができる。また前部ステップ４ｄ上に形成されるスペースを利用して行う、苗箱Ｈの取出し載置等の作業を能率よく行うことができる。
【００３４】
またユニット構造の押さえ装置１６は、予め押さえ装置１６を部品組みしたユニットとして製作して扱うことができるので、市場に出回っている押さえ装置１６を備えない既存の予備苗載台装置７に対しても、その予備苗載台フレーム１１に煩雑な改造を要することなく、且つブラケット２０をフレーム左右幅から大きく突出させることなく、簡単な後付け作業によって設置することができる等の特徴がある。
【００３５】
さらに、ブラケット２０を前後の立壁部２０ａと側壁部２０ｂとによって平面視Ｕ字状に形成しその内部に、押さえ体１５を姿勢変更自在に付勢保持させるスプリング２１と、該スプリング２１の一端を係止するスプリング取付ピン２３と、スプリング２１の他端を係止する押さえ体１５の基部側に形成されるスプリング掛け部１５ａ等からなる姿勢変更機構１７を収容してユニット構造とした押さえ装置１６は、ブラケット２０によって姿勢変更機構１７等の部品を露出させることなく覆った状態にする。従って、実施形態のように押さえ装置１６を前部ステップ４ｄ側に臨ませて設ける場合に、ブラケット２０の側壁部２０ｂを前部ステップ４ｄ側に位置させて設けることができるので、オペレータの衣服がブラケット２０に接触したとしても、滑らかで平坦な側壁部２０ｂは衣服が引っ掛かることを防止する等の利点もある。
【００３６】
またブラケット２０の立壁部２０ａに、押さえ体１５の取付支点軸１５ｃを中心とする円弧状長孔のガイド孔２５を形成し、該ガイド孔２５に押さえ体１５のスプリング掛け部１５ａを挿入して姿勢変更を案内規制するようにした押さえ装置１６は、スプリング２１によって引張り方向に撓もうとするスプリング掛け部１５ａを、ガイド孔２５内でスムーズに回動案内するため、押さえ体１５の作業姿勢と解除姿勢との姿勢変更をスムーズにすることができると共に、解除姿勢における押さえ体１５の前部ステップ４ｄ側への傾倒を規制することができる。
【００３７】
次に、図６〜図８で示す移植機１に設置される予備苗載台装置７と押さえ装置１６の別実施形態について説明する。尚、前記実施形態のものと同様な構成及び作用については説明を省略する。この移植機１の予備苗載台装置７は、走行機体２の前部で前部ステップ４ｄの外側寄りに取付けられ、機体外方側に向けて大きく突出させたベースフレーム１０の側面に、４段の予備苗載台７ａを取付ける長さと支持間隔を有して前後の予備苗載台支柱１１ａを取付けて予備苗載台フレーム１１を立設している。
【００３８】
この予備苗載台フレーム１１は、前側の予備苗載台支柱１１ａの上部を後方に屈曲させて、後側の鉛直な予備苗載台支柱１１ａの上部に連結して剛構造の予備苗載台フレーム１１にしている。また左右の予備苗載台フレーム１１は、後側の各予備苗載台支柱１１ａの上端部を、正面視で門型状をなす連結杆１１ｃによって着脱可能に連結することにより、左右の予備苗載台フレーム１１の横方向の剛性を補強維持している。また連結杆１１ｃは、適宜な高さ調節手段によって高さを低くすることができ、納屋等への機体格納を行い易くしている。
【００３９】
上記のように立設される予備苗載台フレーム１１は、その左右両側に左右対称に配置される４段分の各予備苗載台７ａを、前記実施形態のものと同様に予備苗載台支柱１１ａに取付けることにより、左右で対をなす予備苗載台装置７を構成している。そして左右の予備苗載台装置７は、それぞれ下から３段目の予備苗載台７ａを空の苗箱Ｈ等を載置するように特定し、その上方に臨む後側の予備苗載台支柱１１ａに押さえ装置１６を取付けることにより、前記実施形態のもと同様な高さで操縦部４側から、空の苗箱Ｈや苗すくい板Ｓの載置と押さえ体１５の姿勢変更操作等を行い易くしている。
【００４０】
次に、図７，図８を参照し押さえ装置１６とその取付け態様について説明する。尚、図示例の押さえ装置１６は、前記実施形態のものとブラケット取付部２４の構成を一部異にしているだけで、押さえ装置１６のユニット構造は同一兼用品として利用しているため説明を省略する。即ち、この実施形態の押さえ装置１６は、ブラケット２０の前後の立壁部２０ａに穿設した上下のボルト孔を前記したブラケット取付部２４ａとして設けている。このブラケット取付部２４ａには、予備苗載台支柱１１ａの中途部に取付固定自在な支柱用ブラケット２７を、ボルト２８を介し着脱自在に取付けることができる。
【００４１】
支柱用ブラケット２７は、平面視でＬ字状をなす取付板２９の一側片に上記ボルト２８を挿入する取付孔(図示せず)を穿設する一方、他側片には平面視でＵ字形状をなして予備苗載台支柱１１ａに外嵌めするＵボルト３０を挿入自在とする取付孔を穿設している。これにより押さえ装置１６を後側の予備苗載台支柱１１ａに設置する場合には、ブラケット２０の後側立壁部２０ａにボルト２８によって取付けた取付板２９に対し、後側の予備苗載台支柱１１ａに外嵌した状態のＵボルト３０を挿入し、そのネジ部にナット３０ａを掛けて締着するだけで、押さえ装置１６を支柱用ブラケット２７を介し後側の予備苗載台支柱１１ａの所定位置に簡単且つ速やかに取付固定することができる。
【００４２】
そして、上記のように設置された押さえ装置１６は、押さえ体１５を前部ステップ４ｄ寄り３段目の予備苗載台７ａに臨ませた状態で、作業姿勢と解除姿勢との押さえ体１５の姿勢変更操作を行ない易くすることができる。また前記実施形態のものと同様に上記予備苗載台７ａに積み重ね状態で載置される空の苗箱Ｈ等を押さえ体１５によって押さえ付けて固定保持し、移植機１による植付作業及び路上走行を支障なく行なうことができる。
【００４３】
またブラケット２０にブラケット取付部２４ａを有する押さえ装置１６は、ブラケット取付部２４ａに予備苗載台支柱１１ａに適応させた支柱用ブラケット２７を設けることができるので、既存の移植機１が備える予備苗載台装置７の予備苗載台７ａに対しても、押さえ装置１６を適正な所望位置に臨ませることができる。従って、ユニット構造の押さえ装置１６は、各種の予備苗載台装置７に煩雑な改造を必要とすることのない、後付け作業によっても簡単に取付けることができる兼用部品化を図ることができる等の特徴がある。
【符号の説明】
【００４４】
１  移植機
２  走行機体
４ｄ  前部ステップ
６  植付装置
７  予備苗載台装置
７ａ  予備苗載台
１１  予備苗載台フレーム
１１ａ  予備苗載台支柱
１５  押さえ体
１５ａ  スプリング掛け部
１５ｂ  押接部
１５ｃ  取付支点軸
１６  押さえ装置
１７  姿勢変更機構
２０  ブラケット
２０ａ  立壁部
２０ｂ  側壁部
２１  スプリング
２３  スプリング取付ピン
２４，２４ａ  ブラケット取付部
２５  ガイド孔
Ｍ  予備苗
Ｈ  苗箱
Ｓ  苗すくい板
【図１】
2015146763.tif 000003
【図２】
2015146763.tif 000004
【図３】
2015146763.tif 000005
【図４】
2015146763.tif 000006
【図５】
2015146763.tif 000007
【図６】
2015146763.tif 000008
【図７】
2015146763.tif 000009
【図８】
2015146763.tif 000010
【図９】
2015146763.tif 000011